(57)【要約】【課題】  片耳装着型のリズム発生装置などを耳面上に確実に保持でき、幅広い大きさの耳に対して共通に、しかも負担小さく装着できて、しかも簡単に着脱できる耳装着構造を提供する。【解決手段】  リズム発生装置８０の筐体１１に拡張板１２を固定し、拡張板１２の縁に一対の支柱９２を起立させ、支柱に耳拘束部材８３の両端を軸止する。軸止部分に隣接させてタンブラー機構を設けて筐体１１と耳拘束部材８３の間に外耳を挟み込ませ、この状態で筐体１１が耳面に位置決めされる。耳拘束部材８３は、耳の根元形状に合せた拘束部８６の上下に曲げ部８４を介して迂回部８５を接続しているので、個人差の大きな耳の長さを吸収できる。【選択図】 図１
2004364242.tif 000002
【特許請求の範囲】
【請求項１】
音発生手段を備えて耳面上に位置決めされる筐体部と、
筐体部に接続されて耳の裏面側へ回り込み、回り込んだ部分と筐体部との間隔に耳を挟み
こむ耳拘束部材とを有する耳装着構造において、
耳拘束部材は、その両端が筐体部に接続されて耳の根元を周回可能な外観であるととも
に、少なくとも上下一方の側で折れ曲がって部分的に外側へ迂回していることを特徴とす
る耳装着構造。
【請求項２】
請求項１の耳装着構造において、耳拘束部材は、耳の根元の上方と下方で外側へ迂回す
る上下対称な形状に形成されていることを特徴とする耳装着構造。
【請求項３】
請求項１の耳装着構造において、耳拘束部材の両端が筐体部に軸止されて回転可能であ
るとともに、耳拘束部材を筐体部側へ押し付けて耳の挟み込み力を持たせるばね手段を両
方の軸止部分に設けたことを特徴とする耳装着構造。
【請求項４】
請求項１の耳装着構造において、耳拘束部材の両端が筐体部に軸止されて回転可能であ
るとともに、両者の開き角度をほぼ１８０度開閉可能なタンブラー機構を軸止部に隣接し
て設けることにより、閉じた状態とほぼ180度開いた状態へ耳拘束部材を付勢しているこ
とを特徴とする耳装着構造。
【請求項５】
請求項１の耳装着構造において、耳拘束部材と筐体部の開き角度を閉じた状態で耳拘束
部材の中央部分が筐体部を横断していることを特徴とする耳装着構造。
【請求項６】
請求項１の耳装着構造において、筐体部の縁に突出させて一対の支柱を設け、支柱の筐
体部よりも高い位置に耳拘束部材の両端が軸止されることを特徴とする耳装着構造。
【請求項７】
音発生手段とリズムパラメータの設定スイッチを備えて電池とリズム発生回路を格納し
、装着状態で耳の表面上に位置決めされる筐体部と、筐体部に接続されて耳の裏面側へ回
り込み、回り込んだ部分と筐体部との間隔に耳を挟みこむ耳拘束部材とを有するリズム発
生装置において、
耳拘束部材は、その両端が筐体部に接続されて耳の根元を周回可能な外観であるととも
に、少なくとも上下一方の側で折れ曲がって部分的に外側へ迂回していることを特徴とす
るリズム発生装置。
【発明の詳細な説明】
【技術分野】
【０００１】
本発明は、ヘッドホン、メトロノーム、タイマー、補聴器、イヤホン、ラジオ、携帯電
話、トランシーバー、ヘッドセットマイクロホン、無線レシーバーなど、耳に装着して音
を発生する機器に採用可能な耳装着構造に関する。
【背景技術】
【０００２】
ヘッドホンやヘッドセットマイクロホンを片耳へ装着する耳装着構造としては、耳掛け
リング型が古くから知られている。特許文献１、２、５には、「音発生手段を設けた筐体
部に接続された状態で外耳の一周を包囲する耳拘束部材を有し、耳拘束部材によって筐体
部が耳面上に位置決め保持される耳装着構造」が示されるが、いずれも耳拘束部材は、筐
体部に固定されている。
また、片耳への耳装着構造としてクリップ式のものが実用化されている。特許文献３に
はクリップ式のタイマー、特許文献４にはクリップ式のリズム装置が示され、外耳を挟み
こむ部材の軸止部分に単純なタンブラー機構を採用して、この部材に起立状態と挟み込み
状態の両方向へ向かってばね力を作用させている。
【特許文献１】特開昭５６−６９９８８号公報
【特許文献２】特公昭６３−１７３６８号公報
【特許文献３】特開平９−１０５７８８号公報
【特許文献４】特開２０００−５１４２２号公報
【特許文献５】特開２００２−１１２３７７号公報
【発明の開示】
【発明が解決しようとする課題】
【０００３】
従来の耳掛けリング型の耳装着構造では、装置を耳へ装着する際に外耳を窮屈に折り畳
んでリング部分へ通す必要がある。また、耳の根元を周回するリング型の部分が小さいと
耳を外側から圧迫されて装着感を損なわせ、一方、リング型の部分を大きくすると筐体部
と耳の位置ずれや装置の脱落が起こり易くなる。従って、1サイズでは耳の大きさの個人
差をカバーできず、多種類のサイズを準備しておく必要がある。
【０００４】
本発明は、従来のリング型よりも装着が簡単で、1サイズでも大小の耳に適応でき、片
手で緩やかに装着して筐体部を耳面上へ確実に保持できる耳装着構造を提供することを目
的としている。
【課題を解決するための手段】
【０００５】
本発明の耳装着構造は、音発生手段を備えて耳面上に位置決めされる筐体部と、筐体部
に接続されて耳の裏面側へ回り込み、回り込んだ部分と筐体部との間隔に耳を挟みこむ耳
拘束部材とを有する耳装着構造において、耳拘束部材は、その両端が筐体部に接続されて
耳の根元を周回可能な外観であるとともに、少なくとも上下一方の側で折れ曲がって部分
的に外側へ迂回している。
【０００６】
本発明のリズム発生装置は、音発生手段とリズムパラメータの設定スイッチを備えて電
池とリズム発生回路を格納し、装着状態で耳の表面上に位置決めされる筐体部と、筐体部
に接続されて耳の裏面側へ回り込み、回り込んだ部分と筐体部との間隔に耳を挟みこむ耳
拘束部材とを有するリズム発生装置において、耳拘束部材は、その両端が筐体部に接続さ
れて耳の根元を周回可能な外観であるとともに、少なくとも上下一方の側で折れ曲がって
部分的に外側へ迂回している。
【発明の効果】
【０００７】
本発明の耳装着構造およびリズム発生装置では、耳拘束部材における耳の背後側へ位置
する「折れ曲がるまでの部分」が耳の根元（個人差が比較的少ない部分）を拘束して耳面
上へ筐体部を位置決める。そして、耳拘束部材の迂回部分が外耳を通す空間を広く確保さ
せるとともに、個人差の大きな耳の根元の上下長さを受け入れる。
【０００８】
本発明の耳装着構造によれば、耳拘束部材の迂回部分に隙間が確保されて、大きな耳で
もその根元の上下を圧迫することがない。筐体部と耳拘束部材で構成されるリング形状の
高さ方向の間隔が大きいから、上下にタイトなリング型に比較して、外側に広がった外耳
を挿入するのが容易である。従って、従来の耳掛けリング型に比較して耳の根元を締め付
ける度合いを格段に減らすことができるとともに、装着時に空いた片手で耳を窮屈に束ね
る必要がなくなるなど装着が格段に容易となる。そして、１つのサイズの耳拘束部材でも
種々の大きさの耳へ無理なく装着できる。
【０００９】
例えば、筐体部と耳面の凹凸の噛み合いや摩擦が耳拘束部材を耳の根元に耳拘束部材を
位置決める一方、耳拘束部材における耳の背後側へ位置する部分が耳の根元の斜め上から
斜め下の部分を拘束して上下方向の力に抵抗し、これにより、筐体部と耳面の位置ずれを
阻止するから、筐体部と耳拘束部材の挟み込み力を小さくしても、筐体部を強固に耳面上
に位置決めできる。挟み込み力を軽減すれば装着がさらに容易となり、装着後に筐体部を
ずらして装着位置や装着感を調整することもできるし、耳面への圧力や耳への負担が減る
なら長時間使用しても痛みを感じない。
【発明を実施するための最良の形態】
【００１０】
（１）耳の根元の上下を外側に迂回する上下対称な外観の耳拘束部材を採用して右耳と
左耳の両方に無理なく装着できるようにした。
（２）筐体部の縁に一対の支柱を設けて支柱の先端側で耳拘束部材を軸止することによ
り、支柱間隔に耳の誘導経路を確保した。
（３）ほぼ１８０度の開閉が可能なタンブラー機構を軸止部分に隣接させて設けて、部
品点数を削減するとともに、筐体部と耳拘束部材をほぼ180度まで開いた状態で片手で耳
へ装着できるようにした。
（４）閉じた状態でその中央部分が筐体部の中心から１０ｍｍほど離れた位置を横切る
ように耳拘束部材の奥行きを定めて、「耳拘束部材を耳の根元の背面側へ押し付けた状態
で筐体部の中央が耳孔に位置決めされる」ようにした。
【実施例１】
【００１１】
図１は実施例１のリズム発生装置（電子メトロノーム）の装着状態の説明図、図２は耳
面側の裏面図、図３は軸止部分の説明図、図４は耳拘束部材の開閉状態の説明図、図５は
タンブラー機構の一例の説明図、図６は電子メトロノームの回路図である。
図１に示すように、実施例１のリズム発生装置８０は、筐体１１に拡張板１２を固定し
て筐体部を構成し、拡張板１２の縁に耳拘束部材８３を軸止している。リズム発生装置８
０は、耳拘束部材８３を耳１４の根元に周回させた状態で筐体１１が耳面上に位置決めさ
れる。
【００１２】
図６に示すように、筐体１１内には、１枚のプリント基板１０２とスピーカー１０７と
電池１０８が収納されている。プリント基板１０１上の集積回路１０２は、書き換え可能
な不揮発メモリ１０３、不揮発メモリに書き込まれたプログラムとデータに基づいてリズ
ム信号を発生する演算部１０４、液晶素子１６のドライバを含む入出力回路１０６、リズ
ム信号をアナログ音声信号に変換するＤ／Ａ変換部１０５などを１チップ上に形成したメ
ロディークロック用途向けの汎用マイコン素子である。
リズム発生装置８０は、液晶素子１６に設定内容を表示させた状態でスイッチ１５、１７
、１８を操作することにより、集積回路１０２にリズム種類とリズム速度を設定して各種
パターンのリズム音を出力させることができる。
【００１３】
短い押し操作に対応してリズム出力の開始／停止を指令入力するスタート／ストップス
イッチ１５は、モードスイッチを兼ねており、１秒を越える押し操作に対応してリズム速
度の設定モード、リズム種類の設定モードへと順次移行する。リズム速度の設定モード（
リズム種類の設定モード）では、３桁の液晶表示素子にリズム速度（リズム種類）を表示
させた状態で、ＵＰスイッチ１８とＤＯＷＮスイッチ１７を押してリズム速度（リズム種
類）の選択肢を順送りし、１つを選択して設定することができる。
【００１４】
図２、図３、図４に示されるように、筐体１１の裏面には音を通すスポンジが張られて
耳面との摩擦を高めており、筐体１１の内側には裏面側へ向かってスピーカー（１０７）
が配置されている。
耳拘束部材８３は、楕円弧の拘束部８６の上下に曲がり８４を設けて段付きの迂回部８
５を接続した外観に形成される。耳拘束部材８３は、拡張板１２の上下の縁に起立させた
支柱９２の挿入孔９３に耳拘束部材８３の軸部８８を挿入して取り付けられる。軸部８８
に隣接するカム部８７は、支柱９２に隣接させて拡張板１２に固定したバネ部９１が接触
してタンブラー機構の一例を構成する。
【００１５】
このタンブラー機構は、図５に示すように、長円のカム部８７をバネ部９１が左右から
圧迫しており、耳拘束部材８３と一緒にカム部８７が回転してバネ部９１を押し広げて弾
性変形させることにより、図４に示すように、開き角度９０度を中立点として、０度と１
８０度に向かって耳拘束部材を回転駆動する。
【００１６】
このように構成されたリズム発生装置８０は、開き角度９０度または１８０度の状態で
筐体１１を持ち、耳拘束部材８３の迂回部８５に耳の上下の長さを通して耳の斜め後方か
ら前方へ筐体を移動させることにより、耳拘束部材８３の拘束部８６を外耳の根元へ送り
込む。そして、拘束部８６を耳の根元の背後側へ押し付けた状態で筐体１１を耳拘束部材
８３側へ倒すと、タンブラー機構に０度へ向かう駆動力が発生して、筐体１１と耳拘束部
材８３の間に外耳の肉厚が挟み込まれる。
このとき、閉じた状態でその中央部分が筐体１１の中心から１０ｍｍほど離れた位置を
横切るように耳拘束部材８３の奥行きを定めてあるので、耳拘束部材８３を耳の根元の背
面側へ押し付けた状態で筐体１１の中央がちょうど耳孔に位置決めされる。耳の根元の背
面側から耳孔までの距離は、耳の長さほど個人差がなく、耳拘束部材の多少のサイズ誤差
は、耳の根元から逆円錐形立ち上がる外耳の裏面が吸収してくれるからである。
【００１７】
実施例１のリズム発生装置８０では、耳拘束部材８３の拘束部８６が耳の根元に突き当
たって上下の力に抵抗するから、外耳の挟み込み力が小さくても振動や接触に対して強い
抵抗力を発揮してリズム発生装置８０が脱落することがない。
また、耳拘束部材８３の上下に迂回部８５を形成して耳の上下を拘束しないからタイト
なリング型に比較して耳への負担が小さく、血流を阻害したり、うっ血やむくみを引き起
こしたりすることがなく、長時間使用しても痛みを感じない。迂回部８５が個人差の大き
な耳の上下長さを吸収するから、１サイズでも、いろいろな大きさの耳へ無理なく装着す
ることができる。
【００１８】
また、タンブラー機構を採用して９０度または１８０度の開き角度を保持させ、筐体１
１を持って片手で耳に装着できるから、従来の耳掛け型の構造に比較して、簡単に耳拘束
部材８３を開いて容易に耳へ装着でき、装着した状態で筐体１１を上下、前後にずらして
快適でよく聞こえる位置へ筐体１１を位置決めすることも容易である。
また、耳拘束部材８３を上下対称の形状としたから、つるの上下を反転できない耳掛け
型とは異なり、図１の装着状態と上下反転して、そのまま右耳へも装着可能である。従っ
て、補聴器や携帯電話や無線レシーバーやメトロノームのような片耳単独の機器に応用し
た際には、左耳用と右耳用を共通の１種類で提供できる。これらの機器を購入した使用者
もその日の気分や用途応用に応じて装着する耳を変更できる。
【００１９】
また、耳拘束部材８３と筐体１１の開き角度が０度の状態で耳拘束部材８３の中央部分
が筐体１１を横断しているから、拘束部８６を耳の根元に沿わせた状態で筐体１１の中央
部分が耳孔上に位置決めされる。
また、拡張板１２の縁に突出させて一対の支柱９２を設け、支柱９２の筐体１１よりも
高い位置に耳拘束部材８３の両端を軸止したから、支柱９２の間隔に干渉物がなく、装着
状態や装着過程で筐体１１などが顔に接触しない。
また、耳拘束部材８３を側面から見て途中で折り曲がった形状としたから、筐体１１が
耳面で揺れても、耳拘束部材８３の前方に位置する部分や支柱９２の先端が顔面に衝突し
ないで済む。
また、タンブラー機構のバネ部９１はカム部８７を左右から押して軸部８８のラジアル
力を相殺するから、軸部８８の摩擦力と応力（曲げ、せん断）が軽減される。
【００２０】
なお、実施例１では、片耳装着型を説明したが、同形状の２つをケーブルで結んで両耳
装型としてもよい。この耳装着構造は、リズム発生装置に用途を限定しないで、共通の筐
体および耳装着構造を採用して、携帯型ヘッドホン、タイマー、補聴器、イヤホン、ラジ
オ、携帯電話、ヘッドセットマイクロホン、無線レシーバー、トランシーバーなどを構成
してもよい。
また、耳拘束部材８３は、両端の軸止によらない取り付け構造としてもよく、タンブラ
ー機構によらない挟み込み構造としてもよい。例えば、筐体部に両端を固定したバネ力の
ある素材の耳拘束部材を採用してもよく、筐体部と平行な対向関係を保って両者の間隔を
狭める方向へ耳拘束部材をバネ付勢する構造を採用してもよい。タンブラー機構を採用す
る場合でも、広く知られた種々の構造と材料のものを採用できる。
【実施例２】
【００２１】
図７は実施例２のリズム発生装置（電子メトロノーム）の斜視図、図８は別のタンブラ
ー機構の斜視図である。
図７、図８に示すように、実施例２のリズム発生装置１１０は、実施例１と同様に、耳
の上下で耳拘束部材が折れ曲がって外側へ迂回する上下対称型であって、樹脂成型された
筐体１１１と耳拘束部材１１７（イヤーハンガー）を着脱交換自在に取り付けて構成され
る。そして、耳拘束部材１１７で片耳の根元をほぼ半周包囲させて耳の上下に大きく隙間
を持たせた状態で、筐体１１１の中央が耳孔上にくるように筐体１１１が耳面上に位置決
めされる。
【００２２】
図８に示すように、筐体１１１の一部として成型された支柱１１２の先端側には耳拘束
部材１１７のピン１１６を挿入する貫通孔１１３が形成されている。耳拘束部材１１７の
カム部１１５の対向間隔は、２つの支柱７４の外側面間隔よりも短く、耳拘束部材１１７
を上下方向へ押し広げた状態で２つの支柱１１２の貫通孔１１３にピン１１６を挿入して
耳拘束部材１１７が筐体１１１に軸止される。耳拘束部材１１７は、全体を外側へ押し広
げてピン１１６を貫通孔１１３から抜き取ることにより筐体１１７へ着脱される。
ピン１１６を貫通孔１１３へ挿入した状態でバネ部１１４が耳拘束部材１１７のカム部
１１５に接触して、タンブラー機構の別の一例を構成している。直方体形状のカム部１１
５の３つの側面は、バネ部１１４に押されて回転して耳拘束部材１１７を０度、９０度、
１８０度で安定させる。耳拘束部材１１７は、ほぼ４５度の付近から０度へ向かって回転
駆動され、筐体１１１と耳拘束部材１１７の間に外耳の肉厚を挟み込む。
【００２３】
実施例５のリズム発生装置では、このタンブラー機構によって、耳拘束部材１１７を起
立させた状態で筐体１１１を耳面に接触させることなく耳拘束部材１１７を耳の根元へ誘
導して差し込むことができる。
また、軸止位置を高くして装着時に耳を誘導する空間が支柱１１２の間に確保されてい
るから、耳拘束部材１１７と筐体１１１の間に外耳を挟み込ませた状態で筐体１１１を持
って後方へシフトさせることにより、タンブラー機構を開くことなくリズム発生装置１１
０を耳から抜き取ることもできる。
また、耳拘束部材１１７は、外側へ押し広げて簡単に筐体１１１へ着脱できるから、耳
拘束部材１１７の交換を誰でも簡単に失敗なく実施できる。
なお、耳拘束部材１１７のピン１１６は同一軸線上で軸止されているが、弾性のある素
材の耳拘束部材の両端部を筐体部の前後方向にずれた位置で軸止することにより、０度へ
向かうバネ力を得るようにして、特別なバネ部品なしに外耳の肉厚を挟み込めるようにし
てもよい。
【産業上の利用可能性】
【００２４】
本発明は、実施例に掲げたリズム発生装置の他に、ヘッドホン、メトロノーム、タイマ
ー、補聴器、イヤホン、ラジオ、携帯電話、トランシーバー、ヘッドセットマイクロホン
、無線レシーバーなど、耳に装着して音を発生する機器に普く採用可能である。
【図面の簡単な説明】
【００２５】
【図１】実施例１のリズム発生装置の装着状態の説明図である。（実施例１）
【図２】耳面側の裏面図である。（実施例１）
【図３】軸止部分の説明図である。（実施例１）
【図４】耳拘束部材の開閉状態の説明図である。（実施例１）
【図５】タンブラー機構の一例の説明図である。（実施例２）
【図６】リズム発生装置の回路図である。（実施例１）
【図７】実施例２のリズム発生回路の斜視図である。（実施例２）
【図８】別のタンブラー機構の説明図である。（実施例２）
【符号の説明】
【００２６】
８０、１１０  リズム発生装置
１１、１１１  筐体
１２  拡張板
８３、１１７  耳拘束部材
１４  耳
１５  開始／停止スイッチ
１６  液晶表示素子
１７  ＤＯＷＮスイッチ
１８  ＵＰスイッチ
８４、１１８  曲がり部
８５、１１９  迂回部
８６  拘束部
８７、１１５  カム部
８８  軸部
９１、１１４  バネ部
９２、支柱  ２１、７１  軸止部
９３  挿入孔
１１３  貫通孔
１１６  ピン
【図１】
2004364242.tif 000003
【図２】
2004364242.tif 000004
【図３】
2004364242.tif 000005
【図４】
2004364242.tif 000006
【図５】
2004364242.tif 000007
【図６】
2004364242.tif 000008
【図７】
2004364242.tif 000009
【図８】
2004364242.tif 000010
【手続補正書】
【提出日】平成16年1月13日(2004.1.13)
【手続補正１】
【補正対象書類名】特許請求の範囲
【補正対象項目名】全文
【補正方法】変更
【補正の内容】
【特許請求の範囲】
【請求項１】
音発生手段を備えて耳面上に位置決めされる筐体部と、
筐体部に接続されて耳の裏面側へ回り込み、回り込んだ部分と筐体部との間隔に耳を挟みこむ耳拘束部材とを有する耳装着構造において、
耳拘束部材は、その両端が筐体部に接続されて耳の根元を周回可能な外観であるとともに、耳の根元の後側の丸みに合せて湾曲させた部分から角を形成して上下少なくとも一方で外側へ大きく迂回させた後に筐体部に接続されており、この迂回部分によって耳拘束部材の内側に外耳を折り曲げることなく通過させる空間が形成されていることを特徴とする耳装着構造。
【請求項２】
音発生手段を備えて耳面上に位置決めされる筐体部と、
筐体部に接続されて耳の裏面側へ回り込み、回り込んだ部分と筐体部との間隔に耳を挟みこむ耳拘束部材とを有する耳装着構造において、
耳拘束部材は、その両端が筐体部に接続されて耳の根元を周回可能な外観であるとともに、耳の根元の後側の丸みに合せて湾曲させた部分の両端からそれぞれ角を形成して上下の外側へ大きく迂回させた後に筐体部に接続されており、この２つの迂回部分によって外耳を折り曲げることなく通過させる空間が形成されていることを特徴とする耳装着構造。
【請求項３】
請求項１または２の耳装着構造において、耳拘束部材の両端が筐体部に軸止されて回転可能であるとともに、耳拘束部材を筐体部側へ押し付けて耳の挟み込み力を持たせるばね手段を両方の軸止部分に設けたことを特徴とする耳装着構造。
【請求項４】
請求項１または２の耳装着構造において、耳拘束部材の両端が筐体部に軸止されて回転可能であるとともに、両者の開き角度をほぼ１８０度開閉可能なタンブラー機構を軸止部に隣接して設けることにより、閉じた状態とほぼ180度開いた状態へ耳拘束部材を付勢していることを特徴とする耳装着構造。
【請求項５】
請求項１または２の耳装着構造において、耳拘束部材と筐体部の開き角度を閉じた状態で耳拘束部材の中央部分が筐体部を横断していることを特徴とする耳装着構造。
【請求項６】
請求項１または２の耳装着構造において、筐体部の縁に突出させて一対の支柱を設け、支柱の筐体部よりも高い位置に耳拘束部材の両端が軸止されることを特徴とする耳装着構造。
【請求項７】
音発生手段を備えて耳面上に位置決めされる筐体部と、
筐体部に両端を接続されて耳の裏面側へ回り込み、筐体部と協働して耳の根元を周回する耳拘束部材とを有する耳装着構造において、
耳拘束部材は、耳の根元の後斜め上から後斜め下の部分の丸みに合せて湾曲させた部分と、この湾曲させた部分から装着状態における上方向および下方向へそれぞれ折り曲がって外側へ湾曲して耳の根元の上と下を迂回する２つの迂回部分とを一体に成形して構成され、これら２つの迂回部分によって耳拘束部材の内側に外耳を折り曲げることなく通過させる空間が形成されていることを特徴とする耳装着構造。
【請求項８】
音発生手段とリズムパラメータの設定スイッチを備えて電池とリズム発生回路を格納し、装着状態で耳の表面上に位置決めされる筐体部と、筐体部に接続されて耳の裏面側へ回り込み、回り込んだ部分と筐体部との間隔に耳を挟みこむ耳拘束部材とを有するリズム発生装置において、
耳拘束部材は、その両端が筐体部に接続されて耳の根元を周回可能な外観であるとともに、耳の根元の後側の丸みに合せて湾曲させた部分から角を形成して上下少なくとも一方で外側へ大きく迂回させた後に筐体部に接続されており、この迂回部分によって耳拘束部材の内側に外耳を折り曲げることなく通過させる空間が形成されていることを特徴とするリズム発生装置。
【手続補正２】
【補正対象書類名】明細書
【補正対象項目名】０００５
【補正方法】変更
【補正の内容】
【０００５】
本発明の耳装着構造は、音発生手段を備えて耳面上に位置決めされる筐体部と、筐体部に接続されて耳の裏面側へ回り込み、回り込んだ部分と筐体部との間隔に耳を挟みこむ耳拘束部材とを有する耳装着構造において、耳拘束部材は、その両端が筐体部に接続されて耳の根元を周回可能な外観であるとともに、耳の根元の後側の丸みに合せて湾曲させた部分から角を形成して上下少なくとも一方で外側へ大きく迂回させた後に筐体部に接続されており、この迂回部分によって耳拘束部材の内側に外耳を折り曲げることなく通過させる空間が形成されている。
【手続補正３】
【補正対象書類名】明細書
【補正対象項目名】０００６
【補正方法】変更
【補正の内容】
【０００６】
本発明のリズム発生装置は、音発生手段とリズムパラメータの設定スイッチを備えて電池とリズム発生回路を格納し、装着状態で耳の表面上に位置決めされる筐体部と、筐体部に接続されて耳の裏面側へ回り込み、回り込んだ部分と筐体部との間隔に耳を挟みこむ耳拘束部材とを有するリズム発生装置において、耳拘束部材は、その両端が筐体部に接続されて耳の根元を周回可能な外観であるとともに、耳の根元の後側の丸みに合せて湾曲させた部分から角を形成して上下少なくとも一方で外側へ大きく迂回させた後に筐体部に接続されており、この迂回部分によって耳拘束部材の内側に外耳を折り曲げることなく通過させる空間が形成されている。
【手続補正４】
【補正対象書類名】明細書
【補正対象項目名】０００７
【補正方法】変更
【補正の内容】
【０００７】
本発明の耳装着構造およびリズム発生装置では、耳拘束部材における耳の背後側へ位置する「湾曲した部分」が耳の根元（個人差が比較的少ない部分）を拘束して耳面上へ筐体部を位置決める。そして、耳拘束部材の迂回部分が外耳を通す空間を広く確保させるとともに、個人差の大きな耳の根元の上下長さを受け入れる。